(57)【要約】【課題】特に微細塵など小質量の塵埃を多く吸い込んだ場合でも、塵埃を塵埃捕集部から離脱させやすくして同部の目詰まりを軽減する機能を備えた電気掃除機を提供することを目的とする。【解決手段】吸引風を発する電動送風機１と、前記電動送風機１と連通し塵埃を含む吸引風を旋回させることで前記吸引風と前記塵埃を遠心分離する遠心分離部３と、前記電動送風機の吸気上流側に設けた塵埃捕集部２と、電荷を放出するイオン発生手段４とを備え、前記塵埃捕集部２に前記イオン発生手段４が電荷を放出するもので、前記塵埃捕集部２の目詰まり軽減するものである。【選択図】  図１
2004154214.tif 000002
【特許請求の範囲】
【請求項１】
吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、電荷を放出するイオン発生手段とを備え、前記塵埃捕集部に前記イオン発生手段が電荷を放出する電気掃除機。
【請求項２】
イオン発生手段を塵埃捕集部に設けるとともに、前記イオン発生手段を前記塵埃捕集部に着脱自在とした請求項１記載の電気掃除機。
【請求項３】
吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、振動手段とを備え、前記振動手段が前記塵埃捕集部を振動させる電気掃除機。
【請求項４】
吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、振動手段とを備え、前記振動手段が前記遠心分離部を振動させる電気掃除機。
【請求項５】
振動手段を塵埃捕集部に着脱自在とした請求項３または４記載の電気掃除機。
【請求項６】
吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、電荷を放出するイオン発生手段と、振動手段とを備え、前記塵埃捕集部に前記イオン発生手段が電荷を放出するとともに、前記振動手段が前記遠心分離部または前記塵埃捕集部を振動させる電気掃除機。
【請求項７】
イオン発生手段は電動送風機運転中に動作し、振動手段は電動送風機運転中および／または運転後に動作するように構成した請求項６記載の電気掃除機。
【発明の詳細な説明】
【０００１】
【発明の属する技術分野】
本発明はサイクロン型掃除機に関するものであり、特に塵埃の塵埃捕集部への目詰まりを軽減するものである。
【０００２】
【従来の技術】
従来から、塵埃を含む空気を旋回させることによって、塵埃と空気を分離させる塵埃捕集部を備えたサイクロン型の電気掃除機が提案されている。
【０００３】
図５にサイクロン型掃除機の一例の要部図面を示す。同図において、５１は吸込み風を発生させる電動送風機、５３は前記電動送風機５１の運転によって塵埃を含む空気を導き、この塵埃を含む空気を旋回させて塵埃を分離する略円筒形状の遠心分離部である。前記遠心分離部５３は分離された塵埃を集塵する集塵室もかねており、前記遠心分離部５３の一部は集塵室も構成している。また、塵埃捕集部５２は網目形状（メッシュ）として、塵埃を分離した空気を前記電動送風機５１を通って排気する構造としている。また、遠心分離部５３に溜まった塵埃は、前記塵埃捕集部５２を取り付けた蓋体５４を開いて塵埃を捨てられる構造としている。
【０００４】
この方式の掃除機は、塵埃が遠心分離部５３にいっぱいになるまでは吸込み風量がほとんど低下しないことが特徴として挙げられる。
【０００５】
しかしながら、特に微細塵など小質量の塵埃を多く吸い込んだ場合には、旋回風によって塵埃と空気は充分には分離されず、塵埃捕集部５２に塵埃が多く付着し、遠心分離部５３が塵埃でいっぱいにならないうちに急激に吸込み風量が低下してしまうことがあった。
【０００６】
この課題を解決する（前記サイクロン構造の特徴を十分に発揮する）ために、塵埃捕集部５２の流入口側にフィルターを設ける構造が提案されている（例えば、特許文献１参照。）。
【０００７】
【特許文献１】
特開２００１−２６９２９７号公報
【０００８】
【発明が解決しようとする課題】
しかしながら上記従来の構成では、フィルターが吸込み側の空気通路に存在するために圧損が発生するため、遠心分離部５３に塵埃が無い初期の状態から吸込み風量が低くなってしまい、塵埃の集塵能力の低下を招いてしまう。
【０００９】
繰り返すが従来のサイクロン型掃除機では、特に微細塵など小質量の塵埃を多く吸い込んだ場合には、旋回風によって塵埃と空気は充分には分離されず塵埃捕集部５２に塵埃が多く付着して目詰まりを起こし、遠心分離部５３が塵埃でいっぱいにならないうちに急激に吸込み風量が低下してしまうという課題があった。
【００１０】
本発明は上記課題を解決するもので、塵埃、特に微細塵を塵埃捕集部から除去させやすくして、同部の目詰まりを軽減する機能を備えた電気掃除機を提供することを目的とする。
【００１１】
【課題を解決するための手段】
上記課題を解決するために本発明は、吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、電荷を放出するイオン発生手段とを備え、前記塵埃捕集部に前記イオン発生手段が電荷を放出するもので、前記塵埃捕集部の目詰まり軽減するものである。
【００１２】
【発明の実施の形態】
本発明の請求項１記載の発明は、吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、電荷を放出するイオン発生手段とを備え、前記塵埃捕集部に前記イオン発生手段が電荷を放出するもので、前記塵埃捕集部に付着しようとする微細塵には、正電荷を有する微細塵と、塵埃捕集部に放出されたイオン発生手段からの正電荷との電気的な反発力により、前記塵埃捕集部への微細塵の付着力を低下させられるため、塵埃捕集部への微細塵の付着による目詰まりを解消することができる。
【００１３】
また、イオン発生手段から負電荷を放出させても、一般に正の電荷を有している微細塵を電気的に中和させ、塵埃捕集部に付着した微細塵を離しやすくし、塵埃捕集部の目詰まりを軽減することもできる。
【００１４】
本発明の請求項２記載の発明は、イオン発生手段を塵埃捕集部に設けるとともに、前記イオン発生手段を前記塵埃捕集部に着脱自在としたもので、塵埃捕集部とイオン発生手段を離脱して水洗い等でき、使用性を向上させることができる。
【００１５】
本発明の請求項３記載の発明は、吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、振動手段とを備え、前記振動手段が前記塵埃捕集部を振動させるもので、振動手段が機械的に前記塵埃捕集部を振動させることで、前記塵埃捕集部に付着した微細塵を落下させ、前記塵埃捕集部の微細塵による目詰まりを軽減できる。
【００１６】
本発明の請求項４記載の発明は、吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、振動手段とを備え、前記振動手段が前記遠心分離部を振動させるもので、振動手段が機械的に前記遠心分離部を振動させることで、前記振動が前記遠心分離部の近傍または内部に設けられている塵埃捕集部に伝達するため、前記塵埃捕集部に付着した微細塵を落下させ、前記塵埃捕集部の微細塵による目詰まりを軽減できる。
【００１７】
本発明の請求項５記載の発明は、振動手段を塵埃捕集部に着脱自在としたもので、塵埃捕集部とイオン発生手段を離脱して水洗い等でき、使用性を向上させることができる。
【００１８】
本発明の請求項６記載の発明は、吸引風を発する電動送風機と、前記電動送風機と連通し塵埃を含む吸引風を旋回させることで前記吸引風と前記塵埃を遠心分離する遠心分離部と、前記電動送風機の吸気上流側に設けた塵埃捕集部と、電荷を放出するイオン発生手段と、振動手段とを備え、前記塵埃捕集部に前記イオン発生手段が電荷を放出するとともに、前記振動手段が前記遠心分離部または前記塵埃捕集部を振動させるもので、前記塵埃捕集部に付着しようとする微細塵には、正電荷を有する微細塵と、塵埃捕集部に放出されたイオン発生手段からの正電荷との電気的な反発力により、前記塵埃捕集部への微細塵の付着力を低下させられるため、塵埃捕集部への微細塵の付着による目詰まりを解消することができ、さらにそのうえ、振動手段が機械的に前記塵埃捕集部を振動させることで、前記塵埃捕集部に対する付着力の低下した微細塵を落下させ、前記塵埃捕集部の微細塵による目詰まりを軽減できる。また、振動手段が機械的に前記遠心分離部を振動させたときには、前記振動が前記遠心分離部の近傍または内部に設けられている塵埃捕集部に伝達するため、前記塵埃捕集部に付着した微細塵を落下させ、前記塵埃捕集部の微細塵による目詰まりを軽減できる。
【００１９】
本発明の請求項７記載の発明は、イオン発生手段は電動送風機運転中に動作し、振動手段は電動送風機運転中および／または運転後に動作するように構成したもので、電動送風機運転中に塵埃捕集部への微細塵の付着力を低下させ、電動送風機が停止したときに、塵埃捕集部に付着した微細塵を落下させることで、より効果的に前記塵埃捕集部の微細塵による目詰まりを軽減できる。
【００２０】
【実施例】
（実施例１）
本発明の第１の実施例を、図１を用いて説明する。
【００２１】
図１（ａ）において、１は吸込み風を発生させる電動送風機、３は前記電動送風機１の運転によって塵埃を含む空気を壁面に沿って流入させ、この塵埃を含む空気を壁面に沿って旋回させて遠心分離作用により、塵埃を分離する略円筒形状の遠心分離部である。前記遠心分離部３は分離された塵埃を集塵する集塵室もかねており、前記遠心分離部３の一部は集塵室も構成している。前記電動送風機１の吸気上流側にあたる前記遠心分離部３内には、塵埃捕集部２が配設されており、前記塵埃捕集部２は網目形状（メッシュ）のフィルターから構成されている。塵埃を分離した空気は、前記塵埃捕集部２を通過した後、前記電動送風機５１を通って排気される構造となっている。
【００２２】
４は前記塵埃捕集部２に向けて電荷を放出するイオン発生手段であり、本実施例では、正の帯電電荷を発生する高圧電源４ａと電極４ｂとで構成していて、高圧電源４ａと電極４ｂとは高圧用配線電線にて電気的に接続している。そしてこのイオン発生手段４は、前記塵埃捕集部２に対して着脱自在であり、図１（ｂ）のように電極４ｂを塵埃捕集部２内に挿入されている。
【００２３】
上記構成による作用は以下の通りである。
【００２４】
塵埃を含んだ空気は、遠心分離部３内で旋回し、遠心分離作用により、塵埃と空気に分離され、塵埃は遠心分離部３に収容されるが、微細塵は分離しきれず塵埃捕集部２に付着する。この状態の塵埃捕集部２に対して、イオン発生手段４から正電荷が放出され、また一般に微細塵を含めて塵埃は正の電荷を有しているため、正電荷を有する微細塵は塵埃捕集部２に放出されたイオン発生手段４から放出された正電荷と反発しあい、塵埃捕集部２に付着した微細塵は離れるため、塵埃捕集部２の目詰まりを軽減することができる。
【００２５】
また、イオン発生手段４は塵埃捕集部２から自在に着脱できる構成としているため、作業者が塵埃捕集部２の目詰まり状態を確認でき、必要に応じて掃除後に遠心分離部３ごと掃除機本体１０から外して、塵埃捕集部２の清掃作業を行うこともできる。
【００２６】
また、本実施例においては、イオン発生手段４から正電荷が放出される構成について述べたが、イオン発生手段４から負電荷を放出させることで、一般に正の電荷を有している微細塵を電気的に中和させ、塵埃捕集部２に付着した微細塵を離しやすくし、塵埃捕集部２の目詰まりを軽減することも考えられる。
【００２７】
（実施例２）
本発明の第２の実施例を、図２を用いて説明する。なお、上記実施例を同一部品については、同一符号を付し、その説明は省略する。
【００２８】
図２（ｂ）において、５は塵埃捕集部２に振動を与える振動手段であり、直流電圧を印加すると機械的振動を起こす圧電振動子５ａを内蔵し、その振動は直結された振動板５ｂに伝わる。
【００２９】
そして、この振動手段５は塵埃捕集部２に対して着脱自在で、振動板５ｂと塵埃捕集部２の位置関係は、図２（ｃ）のように自在に変更でき、塵埃捕集部２への振動を与える位置が固定されないような構成にしている。
【００３０】
さらに、振動手段５の振動周期または振動の振幅を任意に設定できる構成としていて、前記振動板５ｂを塵埃捕集部２に当てることにより、圧電振動子５ｂの振動が塵埃捕集部２に伝わる。
【００３１】
上記構成による作用は以下の通りである。
【００３２】
塵埃を含んだ空気は、遠心分離部３内で旋回し、遠心分離作用により、塵埃と空気に分離され、塵埃は遠心分離部３に収容されるが、微細塵は分離しきれず塵埃捕集部２に付着する。この状態の塵埃捕集部２に対して、振動手段５は塵埃捕集部２に対して振動を与えているので、塵埃捕集部２に付着した微細塵は離れるため、塵埃捕集部２の目詰まりを軽減することができる。
【００３３】
また、振動手段５の振動周期や振幅も設定できるため、塵埃の目詰まり状態に応じて振動周期や振幅の設定を変更し、確実に微細塵を取り除くことができる。
【００３４】
また、振動手段５は塵埃捕集部２から自在に着脱できる構成としているため、作業者が塵埃捕集部２の目詰まり状態を確認でき、必要に応じて掃除後に遠心分離部３ごと掃除機本体１０から外して、塵埃捕集部２の清掃作業を行うこともできる。
【００３５】
なお、塵埃の目詰まり状態をセンサーを用いて検知し、それに応じた適切な振動周期や振幅を制御しても良い。
【００３６】
（実施例３）
本発明の第３の実施例を、図３を用いて説明する。なお、上記実施例を同一部品については、同一符号を付し、その説明は省略する。
【００３７】
図３（ａ）において、６は遠心分離部３に振動を与える振動手段であり、本実施例では直流電圧を印加すると機械的振動を起こす圧電振動子を用いている。そして、この振動手段６は遠心分離部３の外壁面に設けている。
【００３８】
上記構成による作用は以下の通りである。
【００３９】
塵埃を含んだ空気は、遠心分離部３内で旋回し、遠心分離作用により、塵埃と空気に分離され、塵埃は遠心分離部３に収容されるが、微細塵は分離しきれず塵埃捕集部２に付着する。振動手段６を駆動すると、振動手段６は遠心分離部３に対して振動を与えるので、その振動が塵埃捕集部２に伝達するため、塵埃捕集部２に付着した微細塵は離れるため、塵埃捕集部２の目詰まりを軽減することができる。
【００４０】
また、遠心分離部３に振動手段６を密閉して内蔵しているため、掃除後に遠心分離部３に溜まった塵埃を捨てた後に、遠心分離部３ごと水などに入れた状態で清掃することも可能である。本実施例では、振動手段６は遠心分離部３の外壁面に設けたが、遠心分離部３の内部に設けても良い。
【００４１】
なお、振動手段６として小型モータなどの外殻ケースを、直接遠心分離部３の外壁や内壁に直接当てて、モータ自体の振動を利用しても良い。
【００４２】
（実施例４）
本発明の第４の実施例を、図４を用いて説明する。なお、上記実施例を同一部品については、同一符号を付し、その説明は省略する。
【００４３】
図４（ａ）において、塵埃捕集部２には正電荷を放出するイオン発生手段４を、遠心分離部３の外壁面には振動手段６を設けている。イオン発生手段４は電動送風機１の運転中に動作し、振動手段６は電動送風機１の運転後に動作する。
【００４４】
上記構成による作用は以下の通りである。
【００４５】
塵埃を含んだ空気は、遠心分離部３内で旋回し、遠心分離作用により、塵埃と空気に分離され、塵埃は遠心分離部３に収容されるが、微細塵は分離しきれず塵埃捕集部２に付着する。掃除中は電動送風機１が動作しているため、イオン発生手段４も同時に動作しており、塵埃捕集部２に付着しようとする正電荷を有する微細塵との間で電気的な反発力が発生し、塵埃捕集部２への微細塵の付着はかなり軽減する。掃除後に塵埃捕集部２に残っている微細塵は、この振動手段６の機械的振動により離れるため、塵埃捕集部２の微細塵の付着による目詰まりの問題は解消される。
【００４６】
なお、振動手段５の駆動は電動送風機１の運転に合わせて行っても良いし、イオン発生手段４の駆動を電動送風機１の運転と同時に行っても良い。また、これらの駆動方法を使用者が設定できるようにしても良い。
【００４７】
また、本実施例においては、イオン発生手段４から正電荷が放出される構成について述べたが、イオン発生手段４から負電荷を放出させることで、一般に正の電荷を有している微細塵を電気的に中和させ、塵埃捕集部２に付着した微細塵を離しやすくし、塵埃捕集部２の目詰まりを軽減することも考えられる。さらに、振動手段６は遠心分離部３の外壁面に設けたが、遠心分離部３の内部に設けても良い。
【００４８】
【発明の効果】
本発明によれば、塵埃、特に微細塵を塵埃捕集部から除去させやすくして、同部の目詰まりを軽減する機能を備えた電気掃除機を提供できる。
【図面の簡単な説明】
【図１】（ａ）本発明の第１の実施例を示す掃除機本体の側断面図
（ｂ）同塵埃捕集部の拡大側断面図
【図２】（ａ）本発明の第２の実施例を示す掃除機本体の側断面図
（ｂ）同塵埃捕集部の拡大側断面図
（ｃ）図２（ｂ）のＡ矢視図
【図３】（ａ）本発明の第３の実施例を示す掃除機本体の側断面図
（ｂ）同塵埃捕集部の拡大側断面図
【図４】（ａ）本発明の第３の実施例を示す掃除機本体の側断面図
（ｂ）同塵埃捕集部の拡大側断面図
【図５】（ａ）従来の掃除機本体の側断面図
（ｂ）同塵埃捕集部の拡大側断面図
（ｃ）図５（ｂ）のＢ矢視図
【符号の説明】
１  電動送風機
２  塵埃捕集部
３  遠心分離部
４  イオン発生手段
５、６  振動手段
【図１】
2004154214.tif 000003
【図２】
2004154214.tif 000004
【図３】
2004154214.tif 000005
【図４】
2004154214.tif 000006
【図５】
2004154214.tif 000007